(57)【要約】【課題】  各種の警報情報を処理する警報監視制御システム及び警報監視制御方法に関し、警報情報とそれに対するオペレーションとを分離して管理する。【解決手段】  被監視部３との間の情報の送受信を行う送受信インターフェース部１５と、保守端末２との間の情報の送受信を行う入出力インターフェース部１６と、送受信インターフェース部１５を介して被監視部３からの警報情報を受信処理し、保守端末２へ通知する制御処理部１１とを含み、制御処理部１１は、単一又は複数の被監視部３の状態変化を含む警報情報及び複数の警報情報を合成した合成警報を木構造として管理する手段と、被監視部３からの警報情報を受信して処理するオペレーション手段と、このオペレーション手段による処理内容を保守端末２に表示させる為の転送手段とを備えている。【選択図】      図１
2007028121.tif 000002
【特許請求の範囲】
【請求項１】
被監視部との間の情報の送受信を行う送受信インターフェース部と、保守端末との間の情報の送受信を行う入出力インターフェース部と、前記送受信インターフェース部を介して前記被監視部からの警報情報を受信処理し、前記保守端末へ通知する制御処理部とを含む警報監視制御システムに於いて、
前記制御処理部は、単一又は複数の前記被監視部の状態変化を含む警報情報及び複数の警報情報を合成した合成警報を木構造として管理する手段と、前記被監視部からの警報情報を受信して処理するオペレーション手段と、該オペレーション手段による処理内容を前記保守端末に表示させる為の転送手段を備えた
ことを特徴とする警報監視制御システム。
【請求項２】
前記制御処理部は、前記被監視部の警報発生の状態を最高レベルとし、複数の状態変化の各段階毎の状態の優先度を示すレベルを設定した状態レベルテーブルと、前記被監視部の状態変化の遷移を設定した状態遷移テーブルとを参照して、前記被監視部からの警報情報を処理する手段を備えたことを特徴とする請求項１記載の警報監視制御システム。
【請求項３】
被監視部からの警報情報を受信処理して保守端末の表示手段に警報表示を行わせる警報監視制御方法に於いて、
単一又は複数の前記被監視部の状態変化を含む警報情報及び複数の警報情報を合成した合成警報を木構造として管理し、該木構造の警報情報と分離して管理し且つ前記警報情報対応に定義されたオペレーションの実行により、前記被監視部からの警報情報を処理する過程を含む
ことを特徴とする警報監視制御方法。
【請求項４】
前記被監視部からの警報発生の状態を最高レベルとし、複数段階の状態変化に応じたレベルを設定し、前記被監視部からの警報情報に対する前記オペレーションの実行に従って前記被監視部の状態遷移を管理する過程を含むことを特徴とする請求項３記載の警報監視制御方法。
【請求項５】
前記警報情報は、前記被監視部の状態情報と、該被監視部の状態変化の時刻情報を含む最新情報とを含めて管理する過程を含むことを特徴とする請求項３又は４記載の警報監視制御方法。
【請求項６】
前記木構造として管理する前記警報情報に、前記オペレーションの実行により情報読出しを行う読出機能オブジェクトを設けたことを特徴とする請求項３又は４又は５記載の警報監視制御方法。
【発明の詳細な説明】
【技術分野】
【０００１】
本発明は、各種の警報情報を処理する警報監視制御システム及び警報監視制御方法に関する。
【背景技術】
【０００２】
被監視部からの警報情報を受信して、その警報情報の内容に対応した対策を実行する各種のシステムが知られている。監視対象としては、各分野にわたり多種多様である。例えば、監視対象の建造物の火災発生検出、不法侵入検出、空調設備の障害発生検出、各種電源の断検出、各種装置の異常温度上昇検出、動作異常検出、又は監視対象の交通機関に於ける渋滞検出、事故発生検出、又は監視対象の福祉業務の身体障害者異常発生検出等があり、それぞれのシステム対応に、センタ等に於いて警報情報を収集し、警報情報内容を解析して、その対策を実行するものである。
【０００３】
例えば、大規模ネットワークに於いて、一つの警報情報に対する障害部位候補の集合と、次の障害情報に対する障害部位候補の集合との共通集合を求めて、障害部位を特定する障害部位解析手段を設け、更に、この障害部位解析手段に、ネットワークを構成する通信機器や伝送回線の種類に応じてモデル化した接続形態モデルと、警報群の発生パターンとを対応させて、通信機器や伝送回線等の障害部位候補を求める部位特定部を設けた障害の診断方式が提案されている（例えば、特許文献１参照）。
【特許文献１】特開平５−１１４８９９号公報
【発明の開示】
【発明が解決しようとする課題】
【０００４】
従来の各種の警報情報を収集して処理するシステムに於いては、例えば、リレーショナル・データベースのようなデータ単位で管理する構成が一般的であった。その為に、新たな種別の警報情報の処理を追加する場合、データ構造の変更が必要となり、このデータ構造の変更により、処理内容についても変更が必要となる。従って、従来のシステムに於いては、新たな種別の警報情報の追加により、システム全体の処理内容等に対して変更が必要であるから、その為の開発、修正等の操作を必要とすると共に、変更に要する多大な時間を必要とする問題があった。
【０００５】
本発明は、従来例の問題点を解決することを目的とし、木構造のデータ構造とオペレーションとを分離して取り扱うことができるようにする。
【課題を解決するための手段】
【０００６】
本発明の警報監視制御システムは、被監視部との間の情報の送受信を行う送受信インターフェース部と、保守端末との間の情報の送受信を行う入出力インターフェース部と、前記送受信インターフェース部を介して前記被監視部からの警報情報を受信処理し、前記保守端末へ通知する制御処理部とを含む警報監視制御システムに於いて、前記制御処理部は、単一又は複数の前記被監視部の状態変化を含む警報情報及び複数の警報情報を合成した合成警報を木構造として管理する手段と、前記被監視部からの警報情報を受信して処理するオペレーション手段と、該オペレーション手段による処理内容を前記保守端末に表示させる為の転送手段を備えている。
【０００７】
又前記制御処理部は、前記被監視部の警報発生の状態を最高レベルとし、複数の状態変化の各段階毎の状態の優先度を示すレベルを設定した状態レベルテーブルと、前記被監視部の状態変化の遷移を設定した状態遷移テーブルとを参照して、前記被監視部からの警報情報を処理する手段を備えている。
【０００８】
本発明の警報監視制御方法は、被監視部からの警報情報を受信処理して保守端末の表示手段に警報表示を行わせる警報監視制御方法に於いて、単一又は複数の前記被監視部の状態変化を含む警報情報及び複数の警報情報を合成した合成警報を木構造として管理し、該木構造の警報情報と分離して管理し且つ前記警報情報対応に定義されたオペレーションの実行により、前記被監視部からの警報情報を処理する過程を含むものである。
【０００９】
又前記被監視部からの警報発生の状態を最高レベルとし、複数段階の状態変化に応じたレベルを設定し、前記被監視部からの警報情報に対する前記オペレーションの実行に従って前記被監視部の状態遷移を管理する過程を含むものである。
【００１０】
又前記警報情報は、前記被監視部の状態情報と、該被監視部の状態変化の時刻情報を含む最新情報とを含めて管理する過程を含むものである。
【００１１】
又前記木構造として管理する前記警報情報に、前記オペレーションの実行により情報読出しを行う読出機能オブジェクトを設けることができる。
【発明の効果】
【００１２】
単一又は複数の被監視部からの状態情報を含む単一種類又は複数種類の警報情報及びこれらの警報情報を合成した合成警報を木構造として管理し、警報情報を処理するオペレーションを木構造として管理する警報情報と分離した形で構成することにより、被監視部の増減や警報情報の種別の増減に対してオペレーションを変更することなく対応することができ、且つオペレーションの追加、変更も容易となる。
【発明を実施するための最良の形態】
【００１３】
本発明の警報監視制御システムは、図１を参照すると、被監視部３との間の情報の送受信を行う送受信インターフェース部１５と、保守端末２との間の情報の送受信を行う入出力インターフェース部１６と、送受信インターフェース部１５を介して被監視部３からの警報情報を受信処理し、保守端末２へ通知する制御処理部１１とを含む警報監視制御システムに於いて、制御処理部１１は、単一又は複数の被監視部３の状態変化を含む警報情報及び複数の警報情報を合成した合成警報を木構造として管理する手段と、被監視部３からの警報情報を受信して処理するオペレーション手段と、このオペレーション手段による処理内容を保守端末２に表示させる為の転送手段を備えている。
【００１４】
本発明の警報監視制御方法は、被監視部３からの警報情報を受信処理して保守端末２の表示手段に警報表示を行わせる警報監視制御方法に於いて、単一又は複数の被監視部３の状態変化を含む警報情報及び複数の警報情報を合成した合成警報を木構造として管理し、該木構造の警報情報と分離して管理し且つ前記警報情報対応に定義されたオペレーションの実行により、被監視部３からの警報情報を処理する過程を含むものである。
【実施例１】
【００１５】
図１は、本発明の実施例１の説明図であり、１は警報情報を処理するセンタ処理装置、２は表示部を含む保守端末、３は状態情報を含む警報情報を送出する被監視部、１１は制御処理部、１２は状態レベルテーブル、１３は状態遷移テーブル、１４はデータベース（ＤＢ）、１５は送受信インターフェース部、１６は入出力インターフェース部を示す。
【００１６】
制御処理部１１は、例えば、コンピュータの処理機能により実現することができるものであり、その内部の「情報」、「状態」、「最新情報」、「読出機」は、処理内容の一例を示すもので、「情報」は、単一種類又は複数種類の警報情報及び複数の警報情報を合成した合成警報を含み、木構造として管理する手段と、被監視部３からの警報情報を処理するオペレーション手段とを含み、木構造とした警報情報は、例えば、データベース１４を用いて管理することができる。又この木構造として管理する「情報」の下位の階層として、「状態」と「最新情報」と「読出機」とを含む場合を示し、「状態」は被監視部３の正常状態や警報発生状態等の状態情報、「最新情報」は、被監視部３の状態変化時に、その時刻情報を含む最新の状態情報、「読出機」は、機能オブジェクトとしての「情報」の読出機能を示す。又送受信インターフェース部１５を介して被監視部３からの警報情報や状態変化の情報等を受信すると、制御処理部１１は、状態レベルテーブル１２と状態遷移テーブル１３とデータベース１３とを参照し、必要に応じて更新処理を行い、警報情報の処理結果を、入出力インターフェース部１６を介して、保守端末２の表示部により保守者に通知する内容の表示制御を行う。
【００１７】
又被監視部３は、前述のように、各種の構成とすることができるものであり、建造物等の場合は、火災検知器、不法侵入検知器等による検知情報を警報情報としてセンタ処理装置１に、ネットワーク等を介して送信する。センタ処理装置１の送受信インターフェース部１５により受信した警報情報を、制御処理部１１に転送する。制御処理部１１は、状態レベルデータベース１２、状態遷移データテーブル１３、データベース１４等を参照して処理し、その処理結果を、入出力インターフェース部１６を介して保守端末２に転送し、その保守端末２の表示部に警報発生内容等を表示する。
【００１８】
被監視部３から警報情報は、単一種類の場合のみでなく、多種多様の場合が一般的である。このような警報情報を一様に取り扱うことができるように、又複数の警報情報を集約して一つの警報情報として取り扱うことができるように、センタ処理装置１に於いては、警報情報を木構造のデータ構造とし、又警報情報を処理するオペレーションをデータ構造と分離し、データ構造の変更と、オペレーションの追加とが直接的に影響を与えないように構成している。
【００１９】
図２は、データ構造の説明図であり、「警報Ａ」，「警報Ｂ」を合成して「合成警報２」とし、「警報Ｃ」，「警報Ｄ」と「合成警報２」とを合成して「合成警報１」とし、又「警報Ｅ」を「合成警報３」とし、「警報Ｆ」と「合成警報１」，「合成警報２」，「合成警報３」とを合成して「合成警報０」とした木構造の場合を示す。このように、警報情報は、１個毎に取り扱うこともできるが、複数の警報情報をまとめた合成情報として取り扱うことも可能とするものである。
【００２０】
図３は、合成警報の説明図であり、（Ａ）は、「警報」と「合成警報」と「情報」との関連を示し、「合成警報」と「警報」とは「情報」の一種として取り扱うことを示す。又「合成警報」は、（Ｂ）に示すように、複数の情報（警報）を含むものとなる。このような「情報」を、オブジェクト指向分析／設計に用いられるオブジェクトモデルを表記するＵＭＬ（Ｕｎｉｆｉｅｄ  Ｍｏｄｅｌｉｎｇ  Ｌａｎｇｕａｇｅ）で記述すると、（Ｃ）に示すものとなる。即ち、「警報」と「合成警報」とを一般化したものが「情報」となり、「合成警報」は、複数の「情報」を包含している関係となる。これは、「警報」と、複数の警報を含む「合成警報」とを同一視し、再帰的な構造作成により、図２に示すような木構造を表現している。この情報の全体は、複数の警報を集めて、恰も一つの警報であるかのように取り扱うことができることを示している。
【００２１】
図４は、操作インターフェースの一様化の説明図であり、「警報Ａ」，「警報Ｂ」と、アダプタを含む「警報Ｃ」とを合成した「警報」は、図３の（Ｃ）に示す「警報」に相当し、「合成警報」を含めて、「情報」として一般化することができる。なお、アダプタは、「警報Ｃ」を、「警報Ａ」，「警報Ｂ」と合成する為のもので、変換処理機能を含むことができる。又「クライアント」は、図１に於ける保守端末２を操作して、監視処理を行う保守者に相当し、「合成警報」，「警報Ａ」，「警報Ｂ」，「警報Ｃ」の違いを無視して、「クライアント」が認識可能の単純な情報として処理する。
【００２２】
図５は、オペレーション分離の説明図であり、データ構造とオペレーションとの分離モデルについて示し、（Ａ）は、「クライアント」と、「オペレーション」と、データ構造との関連を示すもので、一点鎖線内の「警報」，「合成警報」，「情報」のデータ構造は、図３の（Ｃ）と同一内容として示している。「オペレーション」又は「クライアント」の命令による「オペレーション」は、データ構造を探索し、必要とする情報を取得する。データ構造は、一様化された情報として取り扱うことにより、この「情報」と、「クライアント」と、「オペレーション」とは、（Ｂ）に示すように、単純化した関係として表現することができる。
【００２３】
従って、情報としてのデータ構造が変更されても、「クライアント」と「オペレーション」とに対しては影響を与えることがない。又逆に、「オペレーション」に新たな処理を追加したり、又派生させた「オペレーションＡ」〜「オペレーションＣ」を、図５の（Ｃ）に示すように追加しても、オペレーション手段側の変更のみで、情報のデータ構造に影響を及ぼすことはない。
【００２４】
図６は、合成警報の説明図であり、（Ａ）は、図３の（Ｂ）に示す合成警報が複数の情報を含む場合と同一の場合を示し、それぞれの「情報」は、プロパティとして、状態を宣言する。即ち、（Ｂ）に示すように、「情報」の「状態」として、状態１，２，３，・・・の何れかを宣言する。これらの「状態」として優先順位を与えることができる。即ち、（Ｃ）に示すように、状態１〜５に対してそれぞれレベルを付与し、例えば、レベルの値が小さい程、優先順位が高いとすると、（Ｃ）の下に示すように、状態２＞状態３＞状態５＞状態４＞状態１の優先順位を設定することができる。
【００２５】
図７は、情報と状態との説明図であり、（Ａ）に示すように、「情報１」の「状態１」はレベル５、「情報２」の「状態２」はレベル０、「情報３」の「状態４」は「レベル３」の場合に、情報１，２，３を合成した「合成警報」は、優先順位が最も高い「状態２」のレベル０とする。このような関係を木構造に当て嵌めると、（Ｂ）示すように、「情報２」，「情報３」を合成して「情報１」とすると、「情報２」の「状態３」のレベルが１で、「情報３」の「状態４」のレベル３より優先順位が高いから、「情報１」は、「状態３」でレベル１とする。又「情報５」，「情報６」を合成して「情報４」とすると、「情報６」の「状態５」のレベルが２で、「情報５」の「状態１」のレベル５より優先順位が高いから、「情報４」は、「状態５」でレベル２とする。同様に、「情報１」，「情報４」を合成して「情報０」とすると、「情報１」の「状態３」のレベル１が、「情報４」の「状態５」のレベル２より優先順位が高いから、「情報０」は、「状態３」でレベル１とする。
【００２６】
図８は、オペレーションと情報の状態との説明図であり、（Ａ）は「情報」と「状態」との更新の関連を示すもので、「クライアント」から「情報」の「状態」を操作することにより、その「状態」を更新することができる。又監視対象（被監視部）は、監視状況の変化により、その状況を通知して、「情報」の「状態」を更新する。この操作と通知とをそれぞれ複数のオペレーションで表現すると、（Ｂ）に示すように、オペレーション１（操作１）と、オペレーション２（操作２）と、オペレーション３（通知１）と、オペレーション４（通知２）のようになる。又「情報」の「状態」に対するオペレーション１〜４による状態更新は、例えば、図８の（Ｃ）に示す状態遷移に従うものとして管理することができる。この状態遷移は、図１の状態遷移テーブル１３に設定することができる。
【００２７】
図９は、状態変化の記録の説明図であり、（Ａ）は、「情報」の「状態１」が「状態３」に変化した場合、データベース（ＤＢ）に、時間、情報、状態の内容を記録する。このデータベースは、例えば、図１のデータベース１４とすることができる。なお、他の記録媒体に記録することも可能である。又図７の（Ｂ）に示す情報４，５，６を省略して、情報０，１，２，３のみを示す図９の（Ｂ）に於いて、「情報２」の「状態２（レベル１）」が、「状態３（レベル１）」に変化した警報情報を制御処理部１１（図１参照）が受信すると、前述のように、データベース（ＤＢ）に、時間、情報、状態を通知して記録し、この状態の変化により、（１），（２），（３）の経路で、「クライアント」（図１に示す保守端末２）に通知される。即ち、「クライアント」は、「情報０」の状態を監視するだけで、木構造の全体の情報監視が可能となる。そして、「クライアント」は、状態変化の通知（３）により、データベース（ＤＢ）を参照（４）することにより、詳細情報を取得することが可能となる。又「クライアント」は、時間をキーにして、データベース（ＤＢ）を検索し、状態変化の経緯を認識することもできる。
【００２８】
図１０は、状態変化とレベルとの関連の説明図であり、「情報３」の「状態４（レベル３）」から「状態１（レベル５）」に変更した場合、「情報２」の「状態３（レベル１）」に比較して、優先順位が低いレベル５となるから、「情報２」，「情報３」を合成した「情報１」は、優先順位の高い「情報２」を優先させることになり、「情報３」の状態変化は、「クライアント」に通知されない。即ち、優先順位が低いレベルに状態が変化した時、クライアント側で認識できない場合が生じる。
【００２９】
そこで、図１１の（Ａ）に示すように、「情報」に対して、「状態」と共に、「最新情報」を含める。この「最新情報」は、時刻情報を含むものである。従って、「状態」のレベルに関係なく、「状態」の変化が発生した時に、「最新情報」が更新され、その付随情報としての時刻情報が更新されるから、この「最新情報」の更新を契機に「クライアント」に通知することができる。即ち、図１１の（Ｂ）に示すように、「情報０」〜「情報３」と、「状態」と、「最新情報」とを含み、「情報３」の「状態４（レベル３）」から「状態１（レベル１）」に変化した時、「最新情報３」の時刻情報を、状態が変化した時の時刻情報に更新する。この「情報３」の状態変化に対して、図１０について説明したように、「情報３」の状態のレベルが、「情報２」の状態のレベルに比較して優先順位が低いことから、「情報３」の状態変化は、上位側へ通知されない。しかし、「最新情報」は更新されるから、状態変化の時刻情報が、太線矢印の経路で順次通知され、「クライアント」にも通知される。そこで、「クライアント」は、データベース（ＤＢ）を参照することにより、「情報３」の状態変化に関する情報を取得することができる。即ち、図１に於ける保守端末２に状態変化の発生が表示されるから、それを契機に「情報３」の状態変化内容を求めることができる。
【００３０】
図１２は、情報の読出機能の説明図であり、（Ａ）は、「クライアント」が木構造の「情報」を総て読出したい場合に、「クライアント」の操作（ｕｓｅ）により、「オペレーション」が「情報」を操作（ｕｓｅ）する関係となる。そこで、（Ｂ）に示すように、「情報」に、「読出機」の機能オブジェクトを埋め込む。この「読出機」は、（Ｃ）に示すように、「初期化」と「読出」との機能を有するものであり、「初期化」の機能は、「情報１」〜「情報ｎ」の読出位置を示すポインタＰを初期位置、例えば、「情報１」の位置に復帰させる機能である。又「読出」の機能は、（Ｄ）に示すように、ポインタＰを順次「情報１」〜「情報ｎ」の読出位置に移動させて読出しを行う機能である。
【００３１】
従って、図１２の（Ａ）に示す「クライアント」と「オペレーション」と「情報」との読出しの関係は、図１３の（Ａ）に示すものとなる。「情報」の内部に「読出機」を含めた理由は、データ構造が提供する「読出機」のインターフェース（「初期化」、「読出」）を一様化することにより、「オペレーション」は、データ構造に関係なく、同じ手順で、「情報」を取り出すことができる為である。即ち、「クライアント」は、「情報」のデータ構造を知らなくても、「オペレーション」の操作（ｕｓｅ）により、「情報」の「読出機」を利用して、全情報の一覧を取り出すことができる。
【００３２】
従って、図１３の（Ｂ）に示すように、「情報０」〜「情報５」にそれぞれ「読出機」の機能を含めることにより、「オペレーション」は、「情報０」〜「情報５」を、例えば、図１２の（Ｄ）に示すように、ポインタＰを順次シフトさせて読出すことができる。即ち、「オペレーション」が、順次「情報０」〜「情報５」を指定して読出しを行うことなく、各情報の「読出機」の機能により全情報の一覧読出しが可能となる。
【００３３】
図１４は、フィルタによる情報選択の説明図であり、（Ａ）に示すように、「オペレーション」に「フィルタ」を実装した「オペレーションＢ」を派生させ、「クライアント」から情報の一覧の中の特定の「情報」を、「フィルタ」により選択して取り出すことができる。例えば、（Ｂ）に示すように、情報の集合体の「情報１」，「情報３」，「情報６」をタイプＡ、「情報２」，「情報４」，「情報５」をタイプＢとし、「クライアント」の操作による「オペレーションＢ」の「フィルタ」をタイプＡだけ選択する構成とすることにより、「読出機」の機能により情報読出しを行うと共に、タイプＡの「情報１」，「情報３」，「情報６」を選択的に取り出すことができる。
【００３４】
図１５は、警報情報とオペレーションとの関連の説明図であり、「クライアント」と、「オペレーション」と、「情報」と、「監視対象」との関係を示し、状態レベルテーブルと状態遷移テーブルとデータベース（ＤＢ）とは、図１に於ける同一名称部分に対応する。又「情報」は、図１１及び図１２に示すように、「状態」と、「最新情報」と、「情報０〜ｎ」の「読出機」とを含む構成の場合を示す。「クライアント」の操作による「オペレーション」と、「監視対象」の状態変化等による「オペレーション」とにより、「情報」の処理を、状態レベルテーブルと状態遷移テーブルとデータベース（ＤＢ）とを参照して実行することになる。
【００３５】
図１６は、モデル化の説明図であり、図１５に示す「クライアント」と「オペレーション」と「監視対象」と「データ構造」とを含めてモデル化した場合を示し、「データ構造」の「情報」は、「警報」，「合成警報」，「読出機」を含み、状態レベルテーブルと状態遷移テーブルとデータベース（ＤＢ）とに対する更新処理等の操作を行うことになる。
【００３６】
図１７は、監視対象のマンションの説明図であり、５階建てのマンションを監視対象とし、この各階（１Ｆ〜５Ｆ）に非常ベルを設け、又各号室にガス漏れ警報機等を設けている場合、それぞれの警報情報をモデル化して示すと、図１８に示す木構造として表すことができる。例えば、１階（１Ｆ）の１０３号室でガス漏れが発生すると、このガス漏れ警報情報は、「１Ｆ」として示す合成警報とし、最上位の「マンション」に於いて警報情報を収集することができる。即ち、図１に示すセンタ処理装置１に対して、被監視部３のマンションから、最上位の「マンション」としての警報情報を伝送することができる。この警報情報を基に、「１Ｆ」、「１０３号室」を探索し、１０３号室のガス漏れ発生警報を認識することができる。
【００３７】
図１９は、リレーショナル・データベースの説明図であり、図１７に示す監視対象のマンションに対して、一般的なリレーショナル・データベースで表現した場合であり、「号室」フィールドの０は、フロア共有を示し、又各号室にそれぞれガス警報機を設けている場合を示す。従来は、このような警報情報の管理が一般的であった。
【００３８】
図２０は、監視対象のマンション説明図であり、図１７に示すマンションに交換機１，２，３を追加して、監視対象に含める変更を行うと、図１８に示す警報情報の木構造は、図２１の（Ａ）又は（Ｂ）の何れかに示すように表現することができる。（Ａ）に於いては、「交換機１」〜「交換機３」を、各フロア「１Ｆ」〜「５Ｆ」と共に「マンション」の下位とした場合を示し、（Ｂ）は、「マンション」の下位に、「交換機１」〜「交換機３」を配置し、「交換機１」の下位に、フロア「１Ｆ」，「２Ｆ」を配置し、又「交換機２」の下位に、フロア「３Ｆ」，「４Ｆ」を配置し、「交換機３」の下位に、フロア「５Ｆ」を配置した場合を示すが、「交換機２」及びフロア「３Ｆ」，「４Ｆ」については図示を省略している。即ち、データ構造を柔軟に表現することができる。
【００３９】
これに対して、図１９に示すリレーショナル・データベース形式で表現すると、図２２の（Ａ）又は（Ｂ）に示すものとなる。（Ａ）に於いては、「フロア」フィールドの意味付けを変更し、「警報」フィールドの「交換機」が、フロア「１Ｆ，２Ｆ」と、「号室」フィールドの「０」とにより、１階と２階とに共有されていることを表し、又（Ｂ）に於いては、「共有ＩＤ」フィールドを追加し、「警報」フィールドの「交換機」については、「フロア」フィールドを「１Ｆ」，「２Ｆ」とし、「共有ＩＤ」フィールドをそれぞれ同一の値とした場合を示す。このようなデータベース構成とすることにより、オペレーションの変更が必要となる問題を含むものである。従って、本発明の実施例の例えば図２１の（Ａ），（Ｂ）に示すデータ構造に比較して、オペレーションの変更を伴うことにより、警報監視のリスクが増加する可能性を含むものである。
【００４０】
図２３は、鉄道設備管理システムに適用した場合の警報監視のデータ構造の一例を示すもので、駅毎に監視対象の設備内容の一部が異なる場合が一般的である。しかし、前述と同様に、例えば、駅名をシステムの下位層とし、その駅名の下位層として、各駅の監視対象の電源装置等の状態情報を含む警報情報を配置した木構造の表現により、監視対象の設備の追加や削除等の変更に対しても柔軟に対応することができる。
【００４１】
図２４は、倉庫監視システムに適用した場合の警報監視のデータ構造の一例を示すもので、「倉庫監視システム」は、「Ａ埠頭」と、「Ｂ埠頭」との合成警報に相当し、又「Ｂ埠頭」は、「エリア１」と「エリア２」との合成警報に相当し、又倉庫対応に「侵入センサ」と「火災センサ」とを含む場合を示す。この場合、「Ｂ埠頭」の直下に、他の「エリア」を割り込ませた構成を追加しても、最上位層の倉庫監視システムとしての警報監視に影響を与えることはない。即ち、監視対象の追加、削除等の変更に対しても柔軟に対応することができる。
【００４２】
図２５は、倉庫監視システムに於ける監視対象の状態変化の説明図であり、監視対象の状態を、「通常」と「監視」と「警報」と「確認」と「対応」と「完了」とし、状態遷移については、オペレーションに従ったものとなる場合を示し、点線矢印は、オペレーションを示す。即ち、「通常」状態から夜間となったことのオペレーションにより、「監視」状態に遷移し、侵入センサ検知によるオペレーションにより、「警報」状態に遷移し、警報確認のオペレーションにより、「確認」状態に遷移し、警備員派遣のオペレーションにより、「対応」状態に遷移し、警備員からの完了報告のオペレーションにより、「完了」状態に遷移し、監視開始のオペレーションにより、「監視」状態に遷移する。
【００４３】
図２６は、状態遷移をモデル化により表現して示すもので、「情報」と「状態」とについて、オペレーションの夜間、警報確認、警備員派遣、監視開始、昼間、完了報告（復旧）、侵入検知（発生）に対応して状態が遷移する。この状態の優先度のレベルは、図２６の下方に示すように、警報＞確認＞対応＞完了＞監視＞通常とし、警報の発生処理の優先度を最高としている。この優先度については、図６の（Ｃ）に示すように、レベルとして設定することができるもので、警報はレベル０、確認はレベル１、対応はレベル２、完了はレベル３、監視はレベル４、通常はレベル５とすることができる。
【００４４】
図２７は、状態遷移の説明図であり、オペレーションの「昼間１」、「夜間２」、「侵入検知３」、「警報確認４」、「警備員派遣５」、「完了報告６」、「監視開始７」に対応して、「通常Ａ」、「監視Ｂ」、「警報Ｃ」、「確認Ｄ」、「対応Ｅ」、「完了Ｆ」の状態遷移が生じるもので、例えば、図１に於ける状態遷移テーブル１３の内容の一例に相当する。このような条件を、図１５に当て嵌めると、「クライアント」側の「オペレーション」は、昼間、夜間、警報確認、監視開始とし、「監視対象」側の「オペレーション」は、侵入検知、完了報告となる。又状態レベルテーブルは、図１６の下方に示す状態の優先度のレベルを示す内容を保持し、又状態遷移テーブルは、前述の状態遷移の内容を保持したものとなる。
【００４５】
図２８及び図２９は、倉庫監視システムのデータ構造とＸＭＬ（ｅＸｔｅｎｓｉｂｌｅ  Ｍａｒｋｕｐ  Ｌａｎｇｕａｇｅ）によるリストを示すもので、図２８は、図２４に対応したデータ構造を示し、図２８と図２９との関連を、それぞれの点線（ａ）〜（ｑ）により示す。
【００４６】
図３０及び図３１は、図２７に示す状態遷移についてのリストを示すもので、状態についての「通常Ａ」、「監視Ｂ」、「警報Ｃ」、「確認Ｄ」、「対応Ｅ」、「完了Ｆ」と、それぞれのレベルと、オペレーションの「昼間１」、「夜間２」、「侵入検知３」、「警報確認４」、「警備員派遣５」、「完了報告６」、「監視開始７」とについて、例えば、Ａ１は、状態が「通常Ａ」で、オペレーションが「昼間１」の場合を示し、同様に、Ｂ７は、状態が「監視Ｂ」で、オペレーションが「監視開始７」の場合を示す。
【００４７】
又前述のマンション監視システム、鉄道設備監視システム、倉庫監視システムのようにそれぞれ別個の監視制御システム構成とする場合が一般的であるが、それらを含めて、他の監視システムも統合した監視制御システムを構築することも可能である。その場合も、合成警報を含む木構造で警報情報を、オペレーションと分離した状態で管理することにより、被監視部（監視対象）の追加等の変更にも容易に対応することができる。
【図面の簡単な説明】
【００４８】
【図１】本発明の実施例１の説明図である。
【図２】データ構造の説明図である。
【図３】合成警報の説明図である。
【図４】操作インターフェースの一様化の説明図である。
【図５】オペレーション分離の説明図である。
【図６】合成警報の説明図である。
【図７】情報と状態との説明図である。
【図８】オペレーションと情報の状態との説明図である。
【図９】状態変化の記録の説明図である。
【図１０】状態変化とレベルとの関連の説明図である。
【図１１】情報の最新情報の説明図である。
【図１２】情報の読出機能の説明図である。
【図１３】情報の読出機能の説明図である。
【図１４】フィルタによる情報選択の説明図である。
【図１５】警報情報とオペレーションとの関連の説明図である。
【図１６】モデル化の説明図である。
【図１７】監視対象のマンションの説明図である。
【図１８】マンションの警報情報の木構造の説明図である。
【図１９】リレーショナル・データベースの説明図である。
【図２０】監視対象のマンションの説明図である。
【図２１】交換機追加による警報方法の木構造の説明図である。
【図２２】リレーショナル・データベースの説明図である。
【図２３】鉄道設備管理システムの警報監視のデータ構造の説明図である。
【図２４】倉庫監視システムの警報監視のデータ構造の説明図である。
【図２５】倉庫監視システムの状態変化の説明図である。
【図２６】状態遷移をモデル化した説明図である。
【図２７】状態遷移の説明図である。
【図２８】倉庫監視システムのデータ構造の説明図である。
【図２９】ＸＭＬによるリストの説明図である。
【図３０】状態遷移のリストの説明図である。
【図３１】状態遷移のリストの説明図である。
【符号の説明】
【００４９】
１    センタ処理装置
２    保守端末
３    被監視部
１１  制御処理部
１２  状態レベルテーブル
１３  状態遷移テーブル
１４  データベース（ＤＢ）
１５  送受信インターフェース
１６  入出力インターフェース部
【図１】
2007028121.tif 000003
【図２】
2007028121.tif 000004
【図３】
2007028121.tif 000005
【図４】
2007028121.tif 000006
【図５】
2007028121.tif 000007
【図６】
2007028121.tif 000008
【図７】
2007028121.tif 000009
【図８】
2007028121.tif 000010
【図９】
2007028121.tif 000011
【図１０】
2007028121.tif 000012
【図１１】
2007028121.tif 000013
【図１２】
2007028121.tif 000014
【図１３】
2007028121.tif 000015
【図１４】
2007028121.tif 000016
【図１５】
2007028121.tif 000017
【図１６】
2007028121.tif 000018
【図１７】
2007028121.tif 000019
【図１８】
2007028121.tif 000020
【図１９】
2007028121.tif 000021
【図２０】
2007028121.tif 000022
【図２１】
2007028121.tif 000023
【図２２】
2007028121.tif 000024
【図２３】
2007028121.tif 000025
【図２４】
2007028121.tif 000026
【図２５】
2007028121.tif 000027
【図２６】
2007028121.tif 000028
【図２７】
2007028121.tif 000029
【図２８】
2007028121.tif 000030
【図２９】
2007028121.tif 000031
【図３０】
2007028121.tif 000032
【図３１】
2007028121.tif 000033